(57)【要約】【課題】構造を簡略化できるとともに部品点数を少数化できる壁用電装箱を提供する。【解決手段】壁用電装箱１０は、ボックス本体部１４、ボックスカバー部１６および器具１８を備えている。ボックスカバー部１６は、カバー開口部の周縁部近傍にばね受部２５を有している。器具１８は、ばね受部２５に挿入可能で、かつ、ばね受部２５に係止可能なばね部材３２を有している。ばね受部２５の上下の係止壁２５Ａ，２５Ｂにばね部材３２の上下の突部３２Ａ，３２Ｂを当接した状態で、ばね部材をばね受部に向けて押圧することで、上下の突部が互いに近付く方向に弾性変形して上下の係止壁を乗り越える。上下の突部が上下の係止壁を乗り越えた後、上下の突部が互いに離れる方向に復元して、上下の突部が上下の係止壁に係止する。【選択図】図１
2009277631.tif 000002
【特許請求の範囲】
【請求項１】
壁部に埋設されるとともに外部に臨む開口部を有するボックス本体部と、前記ボックス本体部の前記開口部に設けられたボックスカバー部と、前記ボックスカバー部の開口部を経て前記ボックス本体部の前記開口部に収容された器具とで構成された壁用電装箱であって、
前記ボックスカバー部は、前記開口部の周縁部近傍に、対向する一対の係止壁が設けられた凹部状のばね受部を有し、
前記器具は、前記ばね受部に挿入可能で、かつ、前記一対の係止壁に係止可能な一対の突部が設けられたばね部材を有し、
前記ばね受部の一対の係止壁に前記ばね部材の一対の突部を当接した状態で、前記ばね部材を前記ばね受部に向けて押圧することで、前記一対の突部が互いに近付く方向に弾性変形して前記一対の係止壁を乗り越え、
前記一対の突部が前記一対の係止壁を乗り越えた後、前記一対の突部が互いに離れる方向に復元して、前記一対の突部が前記一対の係止壁に係止することにより前記ボックスカバー部に前記器具が固定されることを特徴とする壁用電装箱。
【発明の詳細な説明】
【技術分野】
【０００１】
本発明は、壁部に埋設されたボックス本体部の開口部にボックスカバー部が設けられ、ボックスカバー部の開口部を経てボックス本体部の開口部に器具が設けられた壁用電装箱に関するものである。
【背景技術】
【０００２】
一般に、壁用コンセントとしての壁用電装箱は、照明器具本体やスイッチ本体を収容するボックス本体部と、ボックス本体部の開口部を塞ぐボックスカバー部と、ボックスカバー部を覆う化粧プレートを備えた電源供給用の電装箱である。
【０００３】
この壁用電装箱は、ボックス本体部の開口部にボックスカバー部を被せた状態で、ボックス本体部にボックスカバー部がボルト（ビス）でねじ結合され、ボックスカバー部に化粧プレートを取り付けることで、化粧プレートでボルトを覆っている。
（例えば、特許文献１参照）。
【特許文献１】２００１−２２３０５２（図１、請求項１）
【発明の開示】
【発明が解決しようとする課題】
【０００４】
しかし、特許文献１の壁用電装箱は、ボックスカバー部をボルトでボックス本体部にねじ結合するため、ボルトの頭部がボックスカバー部の表面に露出する。
ボルトの頭部を隠すために、ボックスカバー部に化粧プレートを取り付けて、化粧プレートでボルトの頭部を覆うようにしている。
このため、特許文献１の壁用電装箱は、化粧プレートやボルトが必要になり、壁用電装箱の構造が複雑になるとともに部品点数が多くなる。
【０００５】
特許文献１においては、電源供給用の壁用電装箱について説明したが、例えば、アンテナ用の壁用電装箱も同様に構成されている。
このため、アンテナ用の壁用電装箱の構造が複雑になるとともに部品点数が多くなる。
【０００６】
本発明は、前述した要望を満たすためになされたもので、その目的は、構造を簡略化できるとともに部品点数を少数化できる壁用電装箱を提供することにある。
【課題を解決するための手段】
【０００７】
本発明の壁用電装箱は、壁部に埋設されるとともに外部に臨む開口部を有するボックス本体部と、前記ボックス本体部の前記開口部に設けられたボックスカバー部と、前記ボックスカバー部の開口部を経て前記ボックス本体部の前記開口部に収容された器具とで構成された壁用電装箱であって、前記ボックスカバー部は、前記開口部の周縁部近傍に、対向する一対の係止壁が設けられた凹部状のばね受部を有し、前記器具は、前記ばね受部に挿入可能で、かつ、前記一対の係止壁に係止可能な一対の突部が設けられたばね部材を有し、前記ばね受部の一対の係止壁に前記ばね部材の一対の突部を当接した状態で、前記ばね部材を前記ばね受部に向けて押圧することで、前記一対の突部が互いに近付く方向に弾性変形して前記一対の係止壁を乗り越え、前記一対の突部が前記一対の係止壁を乗り越えた後、前記一対の突部が互いに離れる方向に復元して、前記一対の突部が前記一対の係止壁に係止することにより前記ボックスカバー部に前記器具が固定されることを特徴とする。
【０００８】
ボックスカバー部にばね受部を備え、このばね受部に対向する一対の係止壁を設けた。
また、器具にばね部材を備え、このばね部材に、ばね受部に挿入可能で、かつ、一対の係止壁に係止可能な一対の突部を設けた。
【０００９】
そして、ばね受部の一対の係止壁にばね部材の一対の突部を当接した状態で、ばね部材をばね受部に向けて押圧することで、一対の突部が互いに近付く方向に弾性変形して一対の係止壁を乗り越えるようにした。
さらに、一対の突部が一対の係止壁を乗り越えた後、一対の突部が互いに離れる方向に復元して、一対の突部を一対の係止壁に係止させてボックスカバー部に器具を固定するようにした。
【００１０】
よって、従来必要とされていたボルトを用いることなくボックスカバー部に器具を固定できるので、ボルトを不要にできる。
加えて、ボルトを不要にすることで、ボルトの頭部を覆う化粧プレートを不要にできる。
このように、ボルトや化粧プレートを不要にすることで、構造を簡略化できるとともに部品点数を少数化できる。
【発明の効果】
【００１１】
本発明の壁用電装箱によれば、ボックスカバー部にばね受部を備え、ばね受部に対向する一対の係止壁を設けた。また、器具にばね部材を備え、このばね部材に、ばね受部に挿入可能で、かつ、一対の係止壁に係止可能な一対の突部を設けた。
これにより、ボルトや化粧プレートを不要にすることが可能になり、構造を簡略化できるとともに部品点数を少数化できるという効果を有する。
【発明を実施するための最良の形態】
【００１２】
以下、本発明の実施形態に係る壁用電装箱について、図面を参照して説明する。
図１に示すように、第１実施形態の壁用電装箱１０は、壁部１２に埋設されるとともにボックス開口部（開口部）１５を有するボックス本体部１４と、ボックス開口部１５に設けられたボックスカバー部１６と、ボックスカバー部１６のカバー開口部１７を経て前記ボックス開口部１５に収容された器具１８とを備えている。
【００１３】
ボックス本体部１４は、箱状に形成され、器具１８を収容するボックス開口部１５を備えた箱状の部材であり、壁部１２に埋設されている。
【００１４】
図２に示すように、ボックスカバー部１６は、ボックス開口部１５を覆うフランジ部２３と、フランジ部２３から隆起された筒体部２４とを備えている。
筒体部２４は、上下の壁面２４Ａ，２４Ｂ、左右の壁面２４Ｃ，２４Ｄで略矩形状の枠体に形成され、カバー開口部１７を有する。
【００１５】
このボックスカバー部１６は、カバー開口部１７の周縁部１７Ａのうち、左右の壁面２４Ｃ，２４Ｄ側の部位に左右のばね受部（ばね受部）２５がそれぞれ設けられている。
右ばね受部２５は、凹部状に形成され、上係止壁（一対の係止壁の一方）２５Ａおよび下係止壁（一対の係止壁の他方）２５Ｂがそれぞれ対向するように設けられている。
左ばね受部２５は、右ばね受部２５と左右対称の部材である。
【００１６】
器具１８は、例えば、照明器具本体やスイッチ本体が用いられる。
この器具１８は、カバー開口部１７を経てボックス開口部１５（図１参照）に収容可能な器具本体部２７と、器具本体部２７の側壁から外側に張り出されたフランジ部２８とを備えている。
【００１７】
器具本体部２７は、カバー開口部１７およびボックス開口部１５（図１参照）に収容可能に、上下の壁面２７Ａ，２７Ｂ、左右の壁面２７Ｃ，２７Ｄで略矩形状の枠体に形成されている。
フランジ部２８は、壁部１２の壁面１２Ａに当接されている。
器具１８は、器具本体部２７の左壁面２７Ｃおよび右壁面２７Ｄに左右のばね部材（ばね部材）３２がそれぞれ設けられている。
【００１８】
図３に示すように、右ばね部材３２は、右ばね受部２５（図２参照）に挿入可能で、かつ、右ばね受部２５の上係止壁２５Ａに係止可能な上突部（一対の突部の一方）３２Ａが設けられるとともに、右ばね受部２５の下係止壁２５Ｂに係止可能な下突部（一対の突部の他方）３２Ｂが設けられている。
【００１９】
具体的には、右ばね部材３２は、例えば、１本のピアノ線が略ひし形状に折り曲げられ、上端部３２Ｃが上方に折り曲げられるとともに、下端部３２Ｄが下方に折り曲げられている。
上端部３２Ｃが上保持部材３５の貫通孔に上下方向に移動自在に挿通され、下端部３２Ｄが下保持部材３６の貫通孔に上下方向に移動自在に挿通されている。
【００２０】
上下の端部３２Ｃ，２３Ｄを上下の保持部材３５，３６に挿通することで、上下の端部３２Ｃ，２３Ｄが上下の保持部材３５，３６に支持されている。
上保持部材３５および下保持部材３６は、器具本体部２７の右壁面２７Ｄに設けられている。よって、右ばね部材３２は、上保持部材３５および下保持部材３６を介して右壁面２７Ｄに設けられている。
【００２１】
この右ばね部材３２は、先端部３２Ｅが先細状に突出され、上側の中央部に上突部３２Ａが形成され、下側の中央部に下突部３２Ｂが形成されている。
左ばね部材２５は、右ばね部材２５と左右対称の部材である。
【００２２】
図１に示すように、上端部３２Ｃおよび上突部３２Ａ間の上基端側傾斜部３２Ｆが上係止壁２５Ａに当接し、下端部３２Ｄおよび下突部３２Ｂ間の下基端側傾斜部３２Ｇが下係止壁２５Ｂに当接している。
これにより、上下の突部３２Ａ，３２Ｂが上下の係止壁２５Ａ，２５Ｂに係止してボックスカバー部１６に器具１８が固定された状態に保たれる。
【００２３】
ここで、上下の突部３２Ａ，３２Ｂは弾性変形した状態で上下の突部３２Ａ，３２Ｂに係止している。このため、上下の突部３２Ａ，３２Ｂにはそれぞれ上下方向への復元力が作用している。
【００２４】
上係止壁２５Ａに当接している上基端側傾斜部３２Ｆおよび下係止壁２５Ｂに当接している下基端側傾斜部３２Ｇは、図１に示すように傾斜している部位である。
よって、上下の突部３２Ａ，３２Ｂを上下の係止壁２５Ａ，２５Ｂから離す方向（すなわち、図１に示す矢印方向）に移動させようとする力が作用している。
【００２５】
この力は、器具１８をばね受部２５側に常に引き込む力として作用する。
これにより、器具１８をボックスカバー部１６に確実に当接させた状態に保つことができる。
加えて、器具１８をばね受部２５側に常に引き込む力が継続するので、経時変化によるガタツキが生じ難い。
【００２６】
つぎに、ボックスカバー部１６に器具１８を固定する例を図４（Ａ），（Ｂ）に基づいて説明する。
まず、図４（Ａ）に示すように、ばね受部２５の上係止壁２５Ａにばね部材３２の上突部３２Ａを当接するとともに、ばね受部２５の下係止壁２５Ｂにばね部材３２の下突部３２Ｂを当接した状態で、ばね部材３２をばね受部２５に向けて矢印Ａ方向に押圧する。
【００２７】
ばね部材３２をばね受部２５に向けて矢印Ａ方向に押圧することで、上突部３２Ａが上係止壁２５Ａによって下方（矢印Ｂ方向）に押し下げられるとともに、下突部３２Ｂが下係止壁２５Ｂによって上方（矢印Ｃ方向）に押し上げられる。
よって、上下の突部３２Ａ，３２Ｂが互いに近付く方向に弾性変形して上下の係止壁２５Ａ，２５Ｂを乗り越える。
【００２８】
図４（Ｂ）に示すように、上下の突部３２Ａ，３２Ｂが上下の係止壁２５Ａ，２５Ｂを乗り越えた後、上下の突部３２Ａ，３２Ｂが互いに離れる方向（矢印方向）に復元する。
これにより、上下の突部３２Ａ，３２Ｂが上下の係止壁２５Ａ，２５Ｂに係止することによりボックスカバー部１６に器具１８が固定される（図１参照）。
【００２９】
したがって、従来必要とされていたボルトを用いることなくボックスカバー部１６に器具１８を固定できるので、ボルトを不要にできる。
加えて、ボルトを不要にすることで、ボルトの頭部を覆う化粧プレートを不要にできる。
このように、ボルトや化粧プレートを不要にすることで、構造を簡略化できるとともに部品点数を少数化できる。
【００３０】
なお、前記実施形態で示したボックス本体部１４、ボックス開口部１５、ボックスカバー部１６、カバー開口部１７、器具１８、ばね受部２５、ばね部材３２などの形状は例示したものに限定するものではなく適宜変更が可能である。
【産業上の利用可能性】
【００３１】
本発明は、壁部に埋設されたボックス本体部の開口部にボックスカバー部が設けられ、ボックスカバー部の開口部を経てボックス本体部の開口部に器具が設けられた壁用電装箱への適用に好適である。
【図面の簡単な説明】
【００３２】
【図１】本発明に係る壁用電装箱を示す断面図
【図２】本発明に係る壁用電装箱を示す分解斜視図
【図３】本発明に係る壁用電装箱の器具を示す側面図
【図４】本発明に係る壁用電装箱のばね受部にばね部材を係止する例を説明する側面図
【符号の説明】
【００３３】
１０  壁用電装箱
１２  壁部
１４  ボックス本体部
１５  ボックス開口部（開口部）
１６  ボックスカバー部
１７  カバー開口部
１７Ａ  周縁部
１８  器具
２５  ばね受部
２５Ａ  上係止壁（一対の係止壁の一方）
２５Ｂ  下係止壁（一対の係止壁の他方）
３２  ばね部材
３２Ａ  上突部（一対の突部の一方）
３２Ｂ  下突部（一対の突部の他方）
【図１】
2009277631.tif 000003
【図２】
2009277631.tif 000004
【図３】
2009277631.tif 000005
【図４】
2009277631.tif 000006